(57)【要約】【課題】熟練を要することなく、螺鈿のような真珠光を放つ装飾を簡単に作ることができるようにした螺鈿様装飾品及び螺鈿のような真珠光沢を表す方法を提供する。【解決手段】ウェルカムボード１は、板ガラス３１と銀膜３２や保護膜３３からなる鏡３を有する。鏡３の裏面には、銀膜３２や保護膜３３が部分的に設けられていない透光部である凹部３４が形成されている。透光部３４を覆うようにして、透光性を有する真珠色のフィルム４と光反射体５とがこの順に重ねて設けてある。これによって、螺鈿のような真珠光沢を有する装飾的意匠が施されている。【選択図】図３
2007118461.tif 000002
【特許請求の範囲】
【請求項１】
透光性を有する真珠色のフィルム(4)を光反射体(5)に重ねたもの、あるいは光反射性を有する真珠色のフィルム(4)によって、螺鈿のような真珠光沢を有する装飾的意匠(400)が施されていることを特徴とする、
螺鈿様装飾品。     
【請求項２】
透光部(34)(34a)または開口部(34b)が形成されている装飾基体(3)(3b)を備え、
該装飾基体(3)(3b)の裏側には、上記透光部(34)(34a)または開口部(34b)を覆うようにして、透光性を有する真珠色のフィルム(4)と光反射体(5)とがこの順に重ねて設けてあるかあるいは真珠色のフィルム(4)が設けてあり、これによって螺鈿のような真珠光沢を有する装飾的意匠(400)が施されていることを特徴とする、
螺鈿様装飾品。
【請求項３】
板ガラス(31)と裏面層(32,33)からなる鏡(3)に、螺鈿のような真珠光沢を有する装飾的意匠(400)が施された螺鈿様装飾品であって、
鏡(3)の裏面には、裏面層(32,33)が部分的に設けられていない透光部(34)(34a)が形成されており、
該透光部(34)(34a)を覆うようにして、透光性を有する真珠色のフィルム(4)と光反射体(5)とがこの順に重ねて設けてあるかあるいは光反射性を有する真珠色のフィルム(4)が設けてあることを特徴とする、
螺鈿様装飾品。
【請求項４】
板ガラス(31)と裏面層(32,33)からなる鏡(3)に、螺鈿のような真珠光沢を有する装飾的意匠(400)が施された螺鈿様装飾品であって、
鏡(3)の裏面には、サンドブラスト法で部分的に裏面層(32,33)が取り除かれていることによって透光部(34)(34a)が形成され、該透光部(34)(34a)には透光性または透視性を向上させる処理、あるいは透光性または透視性を与える処理(71)が施されており、
更に、該透光部(34)(34a)を覆うようにして、透光性を有する真珠色のフィルム(4)と光反射性を有する金属製シート(5)または金属板とがこの順に重ねて設けてあるかあるいは光反射性を有する真珠色のフィルム(4)が設けてあることを特徴とする、
螺鈿様装飾品。
【請求項５】
透光性または透視性を有するカバー体(83)と、該カバー体(83)の裏面に設けてある装飾基体(3b)と、を備え、
該装飾基体(3b)には透光部または開口部(34b)が形成されていると共に、該透光部または開口部(34b)を覆うようにして、透光性を有する真珠色のフィルム(4)と光反射体(5)とがこの順に重ねて設けてあるかあるいは光反射性を有する真珠色のフィルム(4)が設けてあり、これによって螺鈿のような真珠光沢を有する装飾的意匠(400)が施されていることを特徴とする、
螺鈿様装飾品。
【請求項６】
螺鈿様装飾品がウェルカムボード(1)(1a)(1b)であることを特徴とする、
請求項１ないし５のいずれかに記載の螺鈿様装飾品。
【請求項７】
真珠色のフィルム(4)を通過させた光を、該フィルム(4)に重ねた光反射体(5)で反射または乱反射させることにより、螺鈿のような真珠光沢を表すようにしたことを特徴とする、
螺鈿のような真珠光沢を表す方法。
【発明の詳細な説明】
【技術分野】
【０００１】
本発明は、螺鈿様装飾品及び螺鈿のような真珠光沢を表す方法に関する。
更に詳しくは、熟練を要することなく、螺鈿のような真珠光を放つ装飾を簡単に作ることができるようにした螺鈿様装飾品及び螺鈿のような真珠光沢を表す方法に関する。
【背景技術】
【０００２】
従来より、鮑貝やオウム貝などの真珠光を放つ貝殻を使用した「螺鈿」と称される装飾品（以下、螺鈿装飾品という場合がある）が知られている。
【０００３】
この螺鈿装飾品を製造するには、まず、貝殻の真珠光を放つ部分を薄く切り取り、この貝殻片を漆器等の器物や木地等の装飾対象に手作業で嵌め込んで貼り付け、更に装飾対象と面一になるように貝殻片の表面を研摩するといった、非常に手間と時間を有する職人の熟練技が必要であった。このため、装飾品を完成させるには数ヶ月を要し、価格的にも高額になっていた。
【０００４】
このようなことから、最近では、螺鈿装飾品をできるだけ時間をかけずに容易に製造する方法が提案されている（例えば特許文献１等）。これによれば、従来の螺鈿工法とは異なり、ミキサー等によって貝殻片を粉砕し、これを装飾対象に散布した後、表面を有色被膜等で被覆する方法が採用されている。
【特許文献１】特開２００５−６７０７８号公報
【発明の開示】
【発明が解決しようとする課題】
【０００５】
しかしながら、特許文献１に記載のものは、依然として真珠光を放つ貝殻片を材料とするものであって、従来の螺鈿工法と同様、かなりの手間と時間を要し、価格的にも高額になるものと思われる。
【０００６】
また、粉砕した貝殻片を散布する方法を採用しているため、特許文献１に添付の画像のように、雲や樹木等のような大まかな模様を施すことはできるものの、バラの花びらの輪郭や細い文字等といった細い線状の装飾模様を施すことは、容易ではないと思われる。
【０００７】
（本発明の目的）
そこで本発明の目的は、熟練を要することなく、螺鈿のような真珠光を放つ装飾を簡単に作ることができるようにした螺鈿様装飾品及び螺鈿のような真珠光沢を表す方法を提供することにある。
【０００８】
本発明の他の目的は、例えばバラの花びらの輪郭や文字等といった細い線状の装飾的意匠も簡単に得ることができるようにした螺鈿様装飾品を提供することにある。
【０００９】
本発明の他の目的は、装飾的意匠の高級感を高めることでき、更には、装飾的意匠が浮き上がって見えるようにした螺鈿様装飾品を提供することにある。
【００１０】
本発明の他の目的は、披露宴会場や各種パーティ会場にウェルカムボードとして使用することによって、出席者の注目を集めやすく、案内板や表示板としての効果が高い螺鈿様装飾品を提供することにある。
【課題を解決するための手段】
【００１１】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００１２】
第１の発明にあっては、
透光性を有する真珠色のフィルム(4)を光反射体(5)に重ねたもの、あるいは光反射性を有する真珠色のフィルム(4)によって、螺鈿のような真珠光沢を有する装飾的意匠(400)が施されていることを特徴とする、
螺鈿様装飾品である。
【００１３】
第２の発明にあっては、
透光部(34)(34a)または開口部(34b)が形成されている装飾基体(3)(3b)を備え、
該装飾基体(3)(3b)の裏側には、上記透光部(34)(34a)または開口部(34b)を覆うようにして、透光性を有する真珠色のフィルム(4)と光反射体(5)とがこの順に重ねて設けてあるかあるいは真珠色のフィルム(4)が設けてあり、これによって螺鈿のような真珠光沢を有する装飾的意匠(400)が施されていることを特徴とする、
螺鈿様装飾品である。
【００１４】
第３の発明にあっては、
板ガラス(31)と裏面層(32,33)からなる鏡(3)に、螺鈿のような真珠光沢を有する装飾的意匠(400)が施された螺鈿様装飾品であって、
鏡(3)の裏面には、裏面層(32,33)が部分的に設けられていない透光部(34)(34a)が形成されており、
該透光部(34)(34a)を覆うようにして、透光性を有する真珠色のフィルム(4)と光反射体(5)とがこの順に重ねて設けてあるかあるいは光反射性を有する真珠色のフィルム(4)が設けてあることを特徴とする、
螺鈿様装飾品である。
【００１５】
第４の発明にあっては、
板ガラス(31)と裏面層(32,33)からなる鏡(3)に、螺鈿のような真珠光沢を有する装飾的意匠(400)が施された螺鈿様装飾品であって、
鏡(3)の裏面には、サンドブラスト法で部分的に裏面層(32,33)が取り除かれていることによって透光部(34)(34a)が形成され、該透光部(34)(34a)には透光性または透視性を向上させる処理、あるいは透光性または透視性を与える処理(71)が施されており、
更に、該透光部(34)(34a)を覆うようにして、透光性を有する真珠色のフィルム(4)と光反射性を有する金属製シート(5)または金属板とがこの順に重ねて設けてあるかあるいは光反射性を有する真珠色のフィルム(4)が設けてあることを特徴とする、
螺鈿様装飾品である。
【００１６】
第５の発明にあっては、
透光性または透視性を有するカバー体(83)と、該カバー体(83)の裏面に設けてある装飾基体(3b)と、を備え、
該装飾基体(3b)には透光部または開口部(34b)が形成されていると共に、該透光部または開口部(34b)を覆うようにして、透光性を有する真珠色のフィルム(4)と光反射体(5)とがこの順に重ねて設けてあるかあるいは光反射性を有する真珠色のフィルム(4)が設けてあり、これによって螺鈿のような真珠光沢を有する装飾的意匠(400)が施されていることを特徴とする、
螺鈿様装飾品である。
【００１７】
第６の発明にあっては、
螺鈿様装飾品がウェルカムボード(1)(1a)(1b)であることを特徴とする、
請求項１ないし５のいずれかに記載の螺鈿様装飾品である。
【００１８】
第７の発明にあっては、
真珠色のフィルム(4)を通過させた光を、該フィルム(4)に重ねた光反射体(5)で反射または乱反射させることにより、螺鈿のような真珠光沢を表すようにしたことを特徴とする、
螺鈿のような真珠光沢を表す方法である。
【００１９】
上記したように、透光性を有する真珠色のフィルム(4)を光反射体(5)に重ねたもの、あるいは光反射性を有する真珠色のフィルム(4)を使用することによって、螺鈿のような真珠光沢を有する装飾的意匠を施すことができる。
【００２０】
本明細書及び特許請求の範囲にいう「装飾的意匠(400)」としては、例えば模様や文字やイラストなど設けたものを挙げることができる。
【００２１】
本明細書及び特許請求の範囲で「真珠色のフィルム(4)」の用語は、「真珠色のシート」を含む広い概念として使用している。
【００２２】
真珠色（パール色）のフィルム(4)としては、公知のプラスチック製フィルム（例えばラッピングや壁紙として使用される真珠色のセロファン）が好適に使用できる。なお、そのフィルム(4)の使用によって、螺鈿のような真珠光沢を有する装飾的意匠を施すことができれば、特にその素材や種類を限定するものではない。
【００２３】
また真珠色のフィルム(4)としては、貝の種類によって多少色が異なる実際の真珠のように、白色の他、やや黄色、ピンク、紫、緑、あるいは黒みがかったもの等、好みに応じてそのベースとなる色を適宜選択し、採用することができる。
【００２４】
光反射体(5)としては、光を反射するものであれば、特に限定するものではなく、例えばアルミ箔やアルミ蒸着シートのような金属製のシートまたはフィルム、金属板、鏡等、あるいはそれらをベースとなるものに取り付けたもの等を挙げることができる。
【００２５】
透光性を有する真珠色のフィルム(4)を光反射体(5)に重ねたものを使用した場合は、真珠色のフィルム(4)を通過した光が光反射体(5)に当たって反射し、その結果、フィルム(4)の真珠色が拡散することによって、螺鈿のような真珠光沢が得られる。
【００２６】
また光反射性を有する真珠色のフィルム(4)を使用した場合も同様に、光が真珠色のフィルム(4)に反射することでフィルム(4)の真珠色が拡散し、その結果、螺鈿のような真珠光沢が得られる。
【００２７】
なお、光反射体(5)または光反射性を有するフィルム(4)として、単に光の反射だけでなく、光を乱反射させることができるものを採用すれば、よりキラキラとした真珠光沢（輝き）を得ることができる。具体的には、光反射体(5)としてアルミ箔やアルミ蒸着シート等を採用した場合には、それらに皺または凹凸を形成させれば良い。また、真珠色のフィルム(4)に皺または凹凸を形成することもできる。
【００２８】
透光部(34)(34a)または開口部(34b)が形成されている装飾基体(3)(3b)を備えているものでは、装飾基体(3)(3b)に形成した透光部(34)(34a)または開口部(34b)により、バラの花びらの模様や文字等の各種装飾的意匠を設けるための輪郭（装飾的意匠の基本模様）を構成できる。そして、この透光部または開口部を覆うようにして、透光性を有する真珠色のフィルム(4)と光反射体(5)とをこの順で重ねて設けるか、あるいは光反射性を有する真珠色のフィルム(4)を設ければ、バラの花びらの輪郭や細い文字等といった細い線状の装飾的意匠も簡単に形成することができる。
【００２９】
装飾基体(3)(3b)は、例えば紙、プラスチック、木、鏡、あるいは金属やそれらを組み合わせたもの等で形成することができる。装飾基体(3)(3b)の形状も特に限定されず、シートまたはフィルム状、板状、その他の形状のものが採用できる。
【００３０】
開口部(34b)としては、所望する装飾的意匠の大きさによってその大きさが変わるので、線状や孔のような小さな開口部の場合もあるし、ハート形等の大きな開口部の場合もある。
【００３１】
板ガラス(31)と裏面層(32,33)からなる鏡(3)に、螺鈿のような真珠光沢を有する装飾的意匠(400)が施されたものでは、鏡(3)の裏面層(32,33)をブラスト法等によって取り除くことによって透光部(34)(34a)を形成することができる。ブラスト法に使用される細粒の種類は特に限定されないが、例えば、砂粒、ガラス粒、金属粒等である。なお、製造の容易さやコスト等の面から、砂粒を使用したサンドブラスト法がより好ましい。鏡を用いることで、螺鈿様装飾品を姿見や手鏡として使用できる。
【００３２】
ブラスト法によって透光部(34)(34a)を形成した場合は、板ガラス(31)が擦れる等により透光部(34)(34a)が曇ってしまう場合があるので、透光部(34)(34a)には透光性または透視性を向上させる処理、あるいは透光性または透視性を与える処理(71)を施すことが、より好ましい。その処理方法としては、透光部(34)(34a)にクリアーラッカー、ワニス、透明樹脂等を塗布する方法が挙げられる。
【発明の効果】
【００３３】
本発明は上記構成を備え、次の効果を有する。
（ａ）本発明によれば、熟練を要することなく、螺鈿のような真珠光を放つ装飾を簡単に作ることができる。
【００３４】
（ｂ）また透光部または開口部が形成されている装飾基体を備えているものでは、透光部または開口部によって装飾的意匠を設けるための輪郭を構成することにより、バラの花びらの輪郭や細い文字等といった細い線状の装飾的意匠も簡単に形成することができる。
【００３５】
（ｃ）螺鈿のような真珠光沢を有する装飾的意匠が鏡に施されているものは、装飾的意匠の高級感を高めることでき、更には、螺鈿様装飾品に施された装飾的意匠以外に、鏡に映った自分の像や景色にも目の焦点が合うため、目の錯覚によって装飾的意匠が鏡から浮き上がって見えるというやや幻想的な装飾効果も奏することができる。
【００３６】
（ｄ）螺鈿様装飾品がウェルカムボードであるものは、他とは異なる個性的で高級感を有する華やかさを備えているので、披露宴会場や各種パーティ会場に使用すれば、出席者の注目を集めやすく、案内板や表示板としての効果が高い。
【発明を実施するための最良の形態】
【００３７】
以下、本発明を実施例により説明するが、本発明はこれらに限定されるものではない。
【００３８】
本発明を図面に示した実施例に基づき更に詳細に説明する。
【実施例１】
【００３９】
図１ないし図４は、本発明に係る螺鈿様装飾品であるウェルカムボードの第１の実施例を示す説明図である。
図１は、ウェルカムボードの斜視説明図、
図２は、螺鈿様装飾された部分を拡大した図１の正面視拡大説明図である。
【００４０】
本実施例では、螺鈿様装飾品として、結婚式の披露宴会場に設置する案内板（表示板）であるウェルカムボード１を例に挙げて説明する。このウェルカムボード１は、披露宴会場の案内場所や受付、あるいは控え室内や会場内等に設置され、披露宴の案内や表示を行うものである。
【００４１】
図１に示すように、ウェルカムボード１は、額縁２と、額縁２に装着される装飾基体である鏡３を備えている。鏡３は、後述の図３（丸で囲んで示す拡大図）に示すように、板ガラス３１と、裏面層である銀膜３２や保護膜３３で主に構成されている。鏡３には、螺鈿のような真珠光沢を有する装飾的意匠４００が施されている。
【００４２】
本実施例では、装飾的意匠４００としてバラの花をあしらったもの（図２も参照）や、新郎新婦の名前や披露宴の日付等（本実施例では、「Welcome to our Wedding Reception」、「Kenicti ＆ Tomoko」、「May 27, 2005」、「The most in the world They are two happy people」）が施してある。
【００４３】
図３は、ウェルカムボードの製造方法を説明するための分解断面説明図、
図４は、ウェルカムボードの構成部材である真珠色のフィルム４、アルミ箔５及び保護シート６をそれぞれ重ねた状態を示す部分拡大斜視説明図である。
【００４４】
なお、図４で真珠色のフィルム４が配置された上方が鏡３が設けられる側、つまり、ウェルカムボード１の正面側となる。また説明の便宜上、真珠色のフィルム４とアルミ箔５をややずらして重ね、更に保護シート６をやや広めに図示している。
【００４５】
以下、ウェルカムボード１の製造方法を順を追って説明しながら、各構成部材の詳細を説明する。図３及び図４を主に参照する。
なお、上記したように（図３で丸で囲んで示す拡大断面図を参照）、鏡３は、板ガラス３１と、裏面層である銀膜３２及び保護膜３３で主に構成されている。
【００４６】
まず、螺鈿様装飾を施すために、鏡３の裏側からバラの花や各種文字の輪郭３４を形成する。即ち、サンドブラスト法によって、部分的に銀膜３２及び保護膜３３を研削して取り除き、バラの花や各種文字の輪郭３４を構成する透光部である凹部を形成する（以下、凹部に符号３４を付して説明する）。
【００４７】
そして、凹部３４を含む鏡３の裏面に、クリアーラッカーを塗付する（ラッカーコーティングする）。クリアーラッカーは、鏡３の裏面全体に塗布することもできるし、凹部３４だけに部分的に塗布しても良い。符号７１はラッカー層を示している。これによって、凹部３４の透光性または透視性を向上させる処理、あるいは透光性または透視性を与える処理を施す。
【００４８】
更にこの凹部３４を覆うようにして、鏡３の裏面全体に、透光性を有する真珠色のフィルム４、皺が形成されたアルミ箔５、更に保護シート６をこれらの順に重ね（図４も参照、保護シート６を二点鎖線で示す）、これらを互いに接着して一体化する。
以下、説明の便宜上、鏡３、フィルム４、アルミ箔５、保護シート６等を一体化した板状のものを螺鈿様装飾体７という。
【００４９】
なお、これらを互いに接着する方法は公知技術を適宜採用できるが、凹部３４に接着剤が付着する等により、螺鈿様装飾の美しさが損なわれないように作業は注意して行うことが好ましい。
【００５０】
このようにして得られた螺鈿様装飾体７を額縁２の枠内に嵌め入れ、更に段ボール紙８１、裏板８２の順で嵌め入れて螺鈿様装飾体の裏面を保護する。最後に、額縁２に設けてある回動自在の留め金２２で裏板８２を掛止して、螺鈿様装飾体７、段ボール紙８１、裏板８２が装着凹部２１から外れないように固定し、ウェルカムボード１を完成させる。
【００５１】
なお、符号２３は、ネジやビス等の締付固定具を示している。また額縁２に付した符号２１は、螺鈿様装飾体７が装着される装着凹部を示している。
【００５２】
また本実施例では、真珠色のフィルム４として、装飾用のプラスチック製のフィルム（型番「ＹＧ５０」、株式会社ニップコーポレーション製）を用いた。このフィルム４は、虹色とも表現できる煌びやかでやや紫がかった真珠色（パール色）を有し、更に光を反射してキラキラと輝く光反射性も有している。
【００５３】
アルミ箔５は、光反射性を有する金属製シートを構成している。更に保護シート６は、例えば紙、プラスチック、木、あるいは金属やそれらを組み合わせたもの等や、その他の材料で形成することができる。
【００５４】
（作  用）
以上のようにして製造したウェルカムボード１は、次のように作用する。
ウェルカムボード１に施された装飾的意匠４００は、例えばバラの花をあしらった部分を拡大して表した図２に示すように、螺鈿のような真珠光沢を放って美麗であり、個性的な華やかさと高級感を醸し出している。
【００５５】
即ち、鏡３の板ガラス３１を経て真珠色のフィルム４（図３、図４を参照）を通過した光がアルミ箔５に当たって乱反射し、その結果、フィルム４の真珠色が拡散することによって、貝殻の真珠光と同様の煌びやかさが演出できた。
【００５６】
このような本実施例に係るウェルカムボード１は、単に文字や写真等を表示した他のウェルカムボードと相違して、個性的で高級感を有する華やかさを備えているので、披露宴会場の出席者の注目を集めやすく、案内板や表示板としての効果が高い。
【００５７】
また、本実施例では真珠色のフィルム４も光反射性を備えていることに加え、アルミ箔５が光を乱反射しやすいように皺が入れているため、より華やかな真珠光沢を得ることができる。
【００５８】
更に本実施例では、装飾基体として鏡３を採用し、ウェルカムボード１の高級感を更に高めている。しかも、ウェルカムボード１の前に立つと、鏡３に施された装飾的意匠４００以外に、鏡３に映った自分の像や景色にも目の焦点が合うため、目の錯覚によって装飾的意匠４００が鏡３から浮き上がって見えるという、やや幻想的な装飾効果も得られる。
【００５９】
なお、真珠色のフィルム４にも皺を入れれば、更にキラキラとした輝きを増すこともできる。ただし、光反射性があまりに強いとキラキラと光り過ぎて、螺鈿様模様の高級感と品位が逆に損なわれる恐れもあるため、真珠色のフィルム４やアルミ箔５の光反射性の度合い（皺の入れ度合い等）は、好みに応じて適宜調整・選択することが好ましい。
【００６０】
以上説明したように、本実施例では、真珠光沢を放つ貝殻片を手作業で嵌め込んだり、貝殻片を粉砕したものを散布して製造する従来の螺鈿工法と相違して、熟練を要することなく、螺鈿のような真珠光を放つ装飾を簡単に作ることができる。
【００６１】
また貝殻片を粉砕したものを散布して製造する従来の方法と相違して、サンドブラスト法によって鏡３に凹部３４を形成することで、バラの花びらの輪郭や文字のような細い線状の螺鈿様装飾４００でも簡単に形成することができる。
【実施例２】
【００６２】
図５は、本発明に係る螺鈿様装飾品であるウェルカムボードの第２の実施例を示す斜視説明図である。
なお、実施例１と同一または同等箇所には同一の符号を付して示している。また、実施例１で説明した箇所については、説明を省略し、主に相異点を説明する。これについては、後述する実施例３についても同じである。
【００６３】
図５に示すように、鏡３の裏面に写真９１を設けることができる透光部である凹部３４ａを広く形成すれば、フォトプレート式のウェルカムボード１ａを作製することができる。この場合、実施例１の図３で説明した鏡３と真珠色のフィルム４の間に、写真９１が設けられる。
その他の構成及び作用・効果は、実施例１と同じから大体において同じであるため、説明を省略する。
【実施例３】
【００６４】
図６は、本発明に係る螺鈿様装飾品であるウェルカムボードの第３の実施例を示しており、ウェルカムボードの製造方法を説明するための分解断面説明図である。
【００６５】
本実施例に係るウェルカムボード１ｂでは、実施例１（図３）と相違して装飾基体として鏡３ではなく、紙製シート３ｂを使用し、バラの花や各種文字の輪郭を構成する透光部である開口部３４ａをこの紙製シート３ｂに形成している。
【００６６】
また、図１に示すようなバラの花や各種文字の輪郭を形成するため、本実施例の透光部である開口部３４ｂは細長または線状であるが、大きな模様を施す場合には開口部３４ｂも大きく形成すれば良い。開口部３４ｂを形成する方法は、切り抜き等の公知技術を適宜採用できる。
【００６７】
そして、実施例１と同様に、この紙製シート３ｂに真珠色のフィルム４、皺が形成されたアルミ箔５、更に保護シート６をこれらの順に重ね、これらを互いに接着して一体化し、螺鈿様装飾体７ｂを形成する。  図６で符号８３は、透光性または透視性を有するカバー体を示している。カバー体８３は、板ガラス３１やプラスチック、あるいはそれらを組み合わせたもの等や、その他の材料で形成することができる。
【００６８】
そうして、まず、額縁２の枠内（装着凹部２１）にカバー体８３を嵌め入れ、更に、螺鈿様装飾体７ｂ、段ボール紙８１、裏板８２の順で嵌め入れる。その後は、実施例１と同様に、留め金２２で裏板８２を掛止して、ウェルカムボード１を完成させる。なお、カバー体８３を省略してウェルカムボード１ｂを製造することもできる。
【００６９】
また、貝殻片を粉砕したものを散布して製造する従来の方法と相違して、紙製シート３ｂに開口部３４ａを形成することで、バラの花びらの輪郭や文字のような細い線状の螺鈿様装飾４００でも簡単に形成することができる。
【００７０】
なお、装飾基体は、例えばプラスチック製、木製、あるいは金属やそれらを組み合わせたもの等や、その他の材料で形成したシートまたは板体で形成することもできる。
その他の構成及び作用・効果は、実施例１と大体において同じであるため、説明を省略する。
【００７１】
本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００７２】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００７３】
【図１】本発明に係る螺鈿様装飾品であるウェルカムボードの第１の実施例を示す斜視説明図。
【図２】螺鈿様装飾された部分を拡大した図１の正面視拡大説明図。
【図３】ウェルカムボードの製造方法を説明するための分解断面説明図。
【図４】ウェルカムボードの構成部材である真珠色のフィルム、アルミ箔及び保護シートをそれぞれ重ねた状態を示す部分拡大斜視説明図
【図５】本発明に係る螺鈿様装飾品であるウェルカムボードの第２の実施例を示す斜視説明図。
【図６】本発明に係る螺鈿様装飾品であるウェルカムボードの第３の実施例を示しており、ウェルカムボードの製造方法を説明するための分解断面説明図。
【符号の説明】
【００７４】
１，１ａ，１ｂ ウェルカムボード
２ 額縁
２１ 装着凹部
２２ 留め金
２３ 締付固定具
３ 鏡
３ｂ 紙製シート
３１ 板ガラス
３２ 銀膜
３３ 保護膜
３４，３４a 凹部（輪郭）
３４ｂ 開口部
４ フィルム
４００ 装飾的意匠
５ アルミ箔
６ 保護シート
７，７ｂ 螺鈿様装飾体
７１ ラッカー層
８１ 段ボール紙
８２ 裏板
８３ カバー体
９１ 写真
【図３】
2007118461.tif 000003
【図６】
2007118461.tif 000004
【図１】
2007118461.tif 000005
【図２】
2007118461.tif 000006
【図４】
2007118461.tif 000007
【図５】
2007118461.tif 000008
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
透光部(34)(34a)または開口部(34b)が形成されている装飾基体(3)に螺鈿のような真珠光沢を有する装飾的意匠(400)が施された螺鈿様装飾品であって、
該装飾基体(3)の裏側には、上記透光部(34)(34a)または開口部(34b)を覆うようにして、透光性を有する真珠色のフィルム(4)と、光が乱反射するように皺または凹凸が形成されたアルミ箔(5)またはアルミ蒸着シートがこの順に重ねて設けてある、
螺鈿様装飾品。
【請求項２】
透光部(34)(34a)または開口部(34b)が形成されている装飾基体(3)に螺鈿のような真珠光沢を有する装飾的意匠(400)が施された螺鈿様装飾品であって、
上記透光部(34)(34a)または開口部(34b)によって装飾的意匠を設けるための輪郭が構成されており、
該装飾基体(3)の裏側には、上記透光部(34)(34a)または開口部(34b)を覆うようにして、透光性を有する真珠色のフィルム(4)と、光が乱反射するように皺または凹凸が形成されたアルミ箔(5)またはアルミ蒸着シートがこの順に重ねて設けてある、
螺鈿様装飾品。
【請求項３】
板ガラス(31)と裏面層(32,33)からなる鏡(3)に、螺鈿のような真珠光沢を有する装飾的意匠(400)が施された螺鈿様装飾品であって、
鏡(3)の裏面には、裏面層(32,33)が部分的に設けられていない透光部(34)(34a)が形成されており、
該透光部(34)(34a)を覆うようにして、透光性を有する真珠色のフィルム(4)と、光が乱反射するように皺または凹凸が形成されたアルミ箔(5)またはアルミ蒸着シートとがこの順に重ねて設けてある、
螺鈿様装飾品。
【請求項４】
板ガラス(31)と裏面層(32,33)からなる鏡(3)に、螺鈿のような真珠光沢を有する装飾的意匠(400)が施された螺鈿様装飾品であって、
鏡(3)の裏面には、裏面層(32,33)が部分的に設けられていない透光部(34)(34a)が形成されており、該透光部(34)(34a)によって装飾的意匠を設けるための輪郭が構成されており、
該透光部(34)(34a)を覆うようにして、透光性を有する真珠色のフィルム(4)と、光が乱反射するように皺または凹凸が形成されたアルミ箔(5)またはアルミ蒸着シートとがこの順に重ねて設けてある、
螺鈿様装飾品。
【請求項５】
板ガラス(31)と裏面層(32,33)からなる鏡(3)に、螺鈿のような真珠光沢を有する装飾的意匠(400)が施された螺鈿様装飾品であって、
鏡(3)の裏面には、サンドブラスト法で部分的に裏面層(32,33)が取り除かれていることによって透光部(34)(34a)が形成され、該透光部(34)(34a)には透光性または透視性を向上させる処理、あるいは透光性または透視性を与える処理(71)が施されており、
更に、該透光部(34)(34a)を覆うようにして、透光性を有する真珠色のフィルム(4)と、光が乱反射するように皺または凹凸が形成されたアルミ箔(5)またはアルミ蒸着シートとがこの順に重ねて設けてある、
螺鈿様装飾品。
【請求項６】
透光性または透視性を有するカバー体(83)と、該カバー体(83)の裏面に設けてある装飾基体(3b)と、を備え、
該装飾基体(3b)には透光部または開口部(34b)が形成されていると共に、該透光部または開口部(34b)を覆うようにして、透光性を有する真珠色のフィルム(4)と、光が乱反射するように皺または凹凸が形成されたアルミ箔(5)またはアルミ蒸着シートとがこの順に重ねて設けてあり、これによって螺鈿のような真珠光沢を有する装飾的意匠(400)が施されていることを特徴とする、
螺鈿様装飾品。
【請求項７】
螺鈿様装飾品がウェルカムボード(1)(1a)(1b)である、
請求項１ないし６のいずれかに記載の螺鈿様装飾品。
【手続補正３】
【補正対象書類名】明細書
【補正対象項目名】００１２
【補正方法】変更
【補正の内容】
【００１２】
第１の発明にあっては、
透光部(34)(34a)または開口部(34b)が形成されている装飾基体(3)に螺鈿のような真珠光沢を有する装飾的意匠(400)が施された螺鈿様装飾品であって、
該装飾基体(3)の裏側には、上記透光部(34)(34a)または開口部(34b)を覆うようにして、透光性を有する真珠色のフィルム(4)と、光が乱反射するように皺または凹凸が形成されたアルミ箔(5)またはアルミ蒸着シートがこの順に重ねて設けてある、
螺鈿様装飾品である。
【手続補正４】
【補正対象書類名】明細書
【補正対象項目名】００１３
【補正方法】変更
【補正の内容】
【００１３】
第２の発明にあっては、
透光部(34)(34a)または開口部(34b)が形成されている装飾基体(3)に螺鈿のような真珠光沢を有する装飾的意匠(400)が施された螺鈿様装飾品であって、
上記透光部(34)(34a)または開口部(34b)によって装飾的意匠を設けるための輪郭が構成されており、
該装飾基体(3)の裏側には、上記透光部(34)(34a)または開口部(34b)を覆うようにして、透光性を有する真珠色のフィルム(4)と、光が乱反射するように皺または凹凸が形成されたアルミ箔(5)またはアルミ蒸着シートがこの順に重ねて設けてある、
螺鈿様装飾品である。
【手続補正５】
【補正対象書類名】明細書
【補正対象項目名】００１４
【補正方法】変更
【補正の内容】
【００１４】
第３の発明にあっては、
板ガラス(31)と裏面層(32,33)からなる鏡(3)に、螺鈿のような真珠光沢を有する装飾的意匠(400)が施された螺鈿様装飾品であって、
鏡(3)の裏面には、裏面層(32,33)が部分的に設けられていない透光部(34)(34a)が形成されており、
該透光部(34)(34a)を覆うようにして、透光性を有する真珠色のフィルム(4)と、光が乱反射するように皺または凹凸が形成されたアルミ箔(5)またはアルミ蒸着シートとがこの順に重ねて設けてある、
螺鈿様装飾品である。
【手続補正６】
【補正対象書類名】明細書
【補正対象項目名】００１５
【補正方法】変更
【補正の内容】
【００１５】
第４の発明にあっては、 
板ガラス(31)と裏面層(32,33)からなる鏡(3)に、螺鈿のような真珠光沢を有する装飾的意匠(400)が施された螺鈿様装飾品であって、
鏡(3)の裏面には、裏面層(32,33)が部分的に設けられていない透光部(34)(34a)が形成されており、該透光部(34)(34a)によって装飾的意匠を設けるための輪郭が構成されており、
該透光部(34)(34a)を覆うようにして、透光性を有する真珠色のフィルム(4)と、光が乱反射するように皺または凹凸が形成されたアルミ箔(5)またはアルミ蒸着シートとがこの順に重ねて設けてある、
螺鈿様装飾品である。
【手続補正７】
【補正対象書類名】明細書
【補正対象項目名】００１６
【補正方法】変更
【補正の内容】
【００１６】
第５の発明にあっては、
板ガラス(31)と裏面層(32,33)からなる鏡(3)に、螺鈿のような真珠光沢を有する装飾的意匠(400)が施された螺鈿様装飾品であって、
鏡(3)の裏面には、サンドブラスト法で部分的に裏面層(32,33)が取り除かれていることによって透光部(34)(34a)が形成され、該透光部(34)(34a)には透光性または透視性を向上させる処理、あるいは透光性または透視性を与える処理(71)が施されており、
更に、該透光部(34)(34a)を覆うようにして、透光性を有する真珠色のフィルム(4)と、光が乱反射するように皺または凹凸が形成されたアルミ箔(5)またはアルミ蒸着シートとがこの順に重ねて設けてある、
螺鈿様装飾品である。
【手続補正８】
【補正対象書類名】明細書
【補正対象項目名】００１７
【補正方法】変更
【補正の内容】
【００１７】
第６の発明にあっては、
透光性または透視性を有するカバー体(83)と、該カバー体(83)の裏面に設けてある装飾基体(3b)と、を備え、
該装飾基体(3b)には透光部または開口部(34b)が形成されていると共に、該透光部または開口部(34b)を覆うようにして、透光性を有する真珠色のフィルム(4)と、光が乱反射するように皺または凹凸が形成されたアルミ箔(5)またはアルミ蒸着シートとがこの順に重ねて設けてあり、これによって螺鈿のような真珠光沢を有する装飾的意匠(400)が施されていることを特徴とする、
螺鈿様装飾品である。
【手続補正９】
【補正対象書類名】明細書
【補正対象項目名】００１８
【補正方法】変更
【補正の内容】
【００１８】
第７の発明にあっては、
螺鈿様装飾品がウェルカムボード(1)(1a)(1b)である、
第１ないし第６のいずれかの発明に係る螺鈿様装飾品である。